(57)【要約】【課題】携帯端末のディスプレイ面を保護するカバーにおいて、擦り傷等が出来にくくし、かつ側方からの覗き見を防止する。【解決手段】携帯端末用保護カバー１０は、ディスプレイ面１ａを覆うカバー本体１１と、ディスプレイ面１ａに粘着される粘着層１４とを備えている。カバー本体１１をガラス製とする。さらに、ディスプレイ面１ａの視野角を制限する覗き見防止層１３を設ける。【選択図】図２
0003195969.tif 000002
【実用新案登録請求の範囲】
【請求項１】
携帯端末のディスプレイ面を保護する携帯端末用保護カバーであって、
前記ディスプレイ面を覆うガラス製のカバー本体と、前記カバー本体の裏側に設けられて前記ディスプレイ面に粘着される粘着層とを備え、かつ前記ディスプレイ面の視野角を制限する覗き見防止機能を設けたことを特徴とする携帯端末用保護カバー。
【請求項２】
前記カバー本体と前記粘着層との間に、視野角制限光学素子を含む覗き見防止層を設けたことを特徴とする請求項１に記載の携帯端末用保護カバー。
【請求項３】
前記ディスプレイ面の長手方向及び短手方向のうち短手方向の視野角だけを制限することを特徴とする請求項１又は２に記載の携帯端末用保護カバー。
【請求項４】
前記カバー本体と前記粘着層との間に飛散防止層を設けたことを特徴とする請求項１〜３の何れか１項に記載の携帯端末用保護カバー。
【考案の詳細な説明】
【技術分野】
【０００１】
本考案は、スマートフォンやタブレット端末等の携帯端末用の保護カバーに関し、特に、携帯端末のディスプレイ面に貼り付けられることでディスプレイ面を保護する保護カバーに関する。
【背景技術】
【０００２】
この種の携帯端末用保護カバーとしては、樹脂フィルム製の保護カバーが広く知られている（特許文献１等参照）。樹脂フィルムの裏面には粘着層が設けられている。この粘着層が携帯端末のディスプレイ面に粘着されることで、樹脂フィルム製保護カバーが、携帯端末のディスプレイ面を覆うようにして貼り付けられる。
【先行技術文献】
【特許文献】
【０００３】
【特許文献１】特開２００７−２３８７５４号公報
【考案の概要】
【考案が解決しようとする課題】
【０００４】
しかし、樹脂フィルム製の保護カバーにおいては、樹脂フィルムの鉛筆硬度が２Ｈ〜５Ｈ程度であるため、保護カバー自体に擦り傷などが出来やすい。また、側方からディスプレイ面を覗き見されたくない、とのニーズもある。
本考案は、携帯端末のディスプレイ面を保護するカバーにおいて、擦り傷等の損傷部が出来にくくするとともに、覗き見防止のニーズにも対応して付加価値を高めることを目的とする。
【課題を解決するための手段】
【０００５】
前記問題点を解決するために、本考案は、携帯端末のディスプレイ面を保護する携帯端末用保護カバーであって、
前記ディスプレイ面を覆うガラス製のカバー本体と、前記カバー本体の裏側（ディスプレイ面を向く側）に設けられて前記ディスプレイ面に粘着される粘着層とを備え、かつ前記ディスプレイ面の視野角を制限する覗き見防止機能を設けたことを特徴とする。
この携帯端末用保護カバーを携帯端末のディスプレイ面に貼り付けることによって、ディスプレイ面を保護することができる。カバー本体を構成するガラスは樹脂フィルムよりも硬度が高いから、擦り傷等の損傷部が出来にくい。また、覗き見防止機能を付加することで、ディスプレイ面を側方から覗き見されるのを防止でき、付加価値を高めることができる。
【０００６】
前記カバー本体と前記粘着層との間に、視野角制限光学素子を含む覗き見防止層を設けることが好ましい。
これによって、携帯端末用保護カバーに覗き見防止機能を確実に付与することができる。
【０００７】
前記覗き見防止機能によって、前記ディスプレイ面の長手方向及び短手方向のうち短手方向の視野角だけが制限されることが好ましい。
これによって、覗き見防止機能を付加しても、携帯端末用保護カバーの厚みができるだけ増大しないようにできる。ひいては、携帯端末のディスプレイのタッチ操作性を確保することができる。
【０００８】
前記カバー本体と前記粘着層との間に飛散防止層を設けることが好ましい。
これによって、ガラス製のカバー本体が、万が一、割れた場合でも、ガラス片が飛び散るのを防止できる。前記飛散防止層は、透明な樹脂フィルムにて構成されていることが好ましい。前記携帯端末用保護カバーが、前記カバー本体と、前記覗き見防止層と、前記飛散防止層と、前記粘着層を含む場合、表側からカバー本体、覗き見防止層、飛散防止層、粘着層の順に積層されていてもよく、表側からカバー本体、飛散防止層、覗き見防止層、粘着層の順に積層されていてもよい。
【考案の効果】
【０００９】
本考案によれば、携帯端末のディスプレイ面を保護するカバーにおいて、カバー本体に擦り傷等の損傷部が出来るのを抑えることができるとともに、ディスプレイ面を側方から覗き見されるのを防止でき、付加価値を高めることができる。
【図面の簡単な説明】
【００１０】
【図１】図１は、本考案の第１実施形態に係る携帯端末用保護カバー及びスマートフォン（携帯端末）の分解斜視図である。
【図２】図２は、前記携帯端末用保護カバーを、前記スマートフォンに貼り付ける前の状態で示し、かつ前記スマートフォンの表面部分を二点鎖線にて示す平面断面図である。
【図３】図３は、本考案の第２実施形態に係る携帯端末用保護カバーを、スマートフォンに貼り付ける前の状態で示し、かつ前記スマートフォンの表面部分を二点鎖線にて示す平面断面図である。
【考案を実施するための形態】
【００１１】
以下、本考案の実施形態を図面にしたがって説明する。
図１は、第１実施形態を示したものである。一般に、スマートフォン１（携帯端末）は、上下に長い板形状になっており、そのディスプレイ面１ａ（表側面）は、長手方向を上下へ向け、かつ短手方向を左右へ向けた長方形になっている。ディスプレイ面１ａの内側にディスプレイ１ｄが配置されている。このスマートフォン１のディスプレイ面１ａに携帯端末用保護カバー１０が貼り付けられることで、ディスプレイ面１ａが保護される。
【００１２】
図２に示すように、携帯端末用保護カバー１０は、カバー本体１１を備え、かつ覗き見防止機能が設けられている。詳しくは、携帯端末用保護カバー１０は、カバー本体１１と、接着層１２と、覗き見防止層１３と、粘着層１４と、剥離シート１９を備えている。これらの構成要素１１〜１９が、この順に表側（図２において上側）から積層されている。
なお、図２において、各構成要素１１〜１９の厚みは、左右の幅寸法に対して誇張されている。
【００１３】
図１及び図２に示すように、カバー本体１１は、スマートフォン１のディスプレイ面１ａと実質的に同一形状及び寸法を有する長方形の薄い平板状になっている。このカバー本体１１が、スマートフォン１のディスプレイ面１ａを覆う。カバー本体１１の厚みは、好ましくは２５０μｍ〜３５０μｍ程度、より好ましくは３００μｍ程度である。カバー本体１１の材質は、透明なガラスである。ガラス製のカバー本体１１の硬度は、６Ｈ〜９Ｈ程度である。カバー本体１１の全光線透光率は、好ましくは９０％〜９５％程度、より好ましくは９２％程度である。カバー本体１１の表面側の縁１１ｅは、全周にわたってラウンドエッジ加工（Ｒ面取り）されている。 
【００１４】
カバー本体１１の裏面（図２において下面）の全域には、接着層１２を介して覗き見防止層１３が設けられている。接着層１２は透明である。好ましくは、接着層１２として、高透光率の光学両面接着テープ（OCA: Optical Clear Adhesive）が用いられている。接着層１２の厚みは、好ましくは３０μｍ〜７０μｍ程度、より好ましくは５０μｍ程度である。
【００１５】
覗き見防止層１３は、薄いフィルム状になっており、覗き見防止機能を担う。覗き見防止層１３の厚みは、好ましくは８０μｍ〜１２０μｍ程度、より好ましくは１００μｍ程度である。詳しくは、覗き見防止層１３は、透明樹脂からなる保持層１３ａを有し、この保持層１３ａに視野角制限光学素子１３ｅが埋め込まれるようにして保持されている。視野角制限光学素子１３ｅは、光を散乱又は吸収する光学素子であり、携帯端末用保護カバー１０の長手方向（図２の紙面と直交する方向）へ直線状に延びるとともに、携帯端末用保護カバー１０の短手方向（図２の左右方向）へ等間隔置きに縦縞状に配置されている。この視野角制限光学素子１３ｅによって、ディスプレイ面１ａの正面方向（法線方向Ｌ０）に対して所定角度（θ／２）以上傾斜した光路上の光が遮られる。これによって、ディスプレイ面１ａの視野角が制限されている。特に、ディスプレイ面１ａの長手方向及び短手方向のうち短手方向（左右側方）の視野角だけが制限されている。この左右側方の視野角θは、好ましくはθ＝４０°〜６０°程度であり、より好ましくはθ＝５５°程度である。
【００１６】
覗き見防止層１３の裏面（図２において下面）の全域には、透明な粘着層１４が積層されている。したがって、粘着層１４は、カバー本体１１の裏側（ディスプレイ面１ａを向く側）に設けられている。粘着層１４の厚みは、好ましくは１０μｍ〜５０μｍ程度、より好ましくは３０μｍ程度である。携帯端末用保護カバー１０の未使用時には、粘着層１４が剥離シート１９にて覆われている。剥離シート１９の厚みは、例えば５０μｍ程度である。
【００１７】
携帯端末用保護カバー１０をスマートフォン１に貼り付ける際、剥離シート１９を剥離して除去し、粘着層１４を露出させる。そして、携帯端末用保護カバー１０をスマートフォン１のディスプレイ面１ａと対面させて位置合わせしながら、粘着層１４をディスプレイ面１ａに粘着させる。
【００１８】
携帯端末用保護カバー１０によれば、カバー本体１１をガラス製とすることによって、一般的な樹脂フィルム製とするよりもはるかに高硬度にすることができる。したがって、携帯端末用保護カバー１０を貼り付けたスマートフォン１が例えば鞄やポケットの中で鍵やキーホルダー等の硬質部材と擦れ合ったとしても、携帯端末用保護カバー１０の表面に擦り傷等の損傷部が形成されるのを防止することができる。
また、カバー本体１１をガラス製とすることによって、高級感を与えることができる。
さらに、覗き見防止層１３によって覗き見防止機能を付与することによって、スマートフォン１の側方からディスプレイ面１ａが覗き見されるのを防止できる。これによって、携帯端末用保護カバー１０の付加価値を高めることができる。
上下の視野角と左右の視野角のうち左右の視野角だけを制限することによって、覗き見防止層１３を単層にでき、携帯端末用保護カバー１０の厚みが増大するのを抑えることができる。これによって、ディスプレイ１ｄのタッチ操作性を十分に確保できる。
また、視野角制限光学素子１３ｅを高品質にすることによってモアレを抑えることができる。
【００１９】
次に、本考案の他の実施形態を説明する。以下の実施形態において既述の形態と重複する構成に関しては、図面に同一符号を付して説明を省略する。
図３は、本考案の第２実施形態を示したものである。第２実施形態の携帯端末用保護カバー１０Ａにおいては、覗き見防止層１３と粘着層１４との間に飛散防止層１６が介在されている。飛散防止層１６は、ポリエチレンテレフタレート（ＰＥＴ）等の透明樹脂にて構成されている。飛散防止層１６の厚みは、好ましくは８０μｍ〜１２０μｍ程度、より好ましくは１００μｍ程度である。この飛散防止層１６が透明接着層１５を介して覗き見防止層１３と接着されている。飛散防止層１６の裏面（図３において下面）に粘着層１４が設けられている。
なお、覗き見防止層１３と透明接着層１５とが、互いに一体積層された接着テープ構造になっていてもよい。或いは、飛散防止層１６と透明接着層１５とが、互いに一体積層された接着テープ構造になっていてもよい。
【００２０】
携帯端末用保護カバー１０Ａによれば、ガラス製のカバー本体１１が、万が一、割れたときでも、ガラスの破片が飛び散るのを防止できる。
剥離シート１９を除く携帯端末用保護カバー１０Ａの厚みは、例えば６００μｍ〜５５０μｍ程度であり、好ましくは５８０μｍ程度である。したがって、スマートフォン１のタッチ操作性を十分に確保できる。
また、携帯端末用保護カバー１０Ａの全光線透過率は、例えば６５％〜７５％程度、好ましくは７１％程度であり、ディスプレイ１ｄの明るさを十分に確保できる。
【００２１】
本考案は、前記実施形態に限られず、その趣旨を逸脱しない範囲内で種々の改変をなすことができる。
例えば、視野角制限光学素子１３ｅがカバー本体１１に組み込まれる等により、カバー本体１１そのものに覗き見防止機能が付与されていてもよい。
覗き見防止層１３を２層にし、これら覗き見防止層１３，１３の視野角制限光学素子１３ｅ，１３ｅの向きを互いに直交させることで、ディスプレイ１ｄの短手方向（左右）の視野角だけでなく、ディスプレイ１ｄの長手方向（上下）の視野角をも制限することにしてもよい。
第２実施形態（図３）において、飛散防止層１６が、カバー本体１１と覗き見防止層１３との間に設けられていてもよい。
カバー本体１１の表面に汚れ防止コーティングを施すことによって、指紋、皮脂、ファンデーション等の汚れを付き難くし、汚れが付いたとしても容易に拭き取ることができるようにしてもよい。
携帯端末用保護カバー１０，１０Ａにブルーライトカット機能を付加してもよい。
【産業上の利用可能性】
【００２２】
本考案は、例えばスマートフォンを保護する保護カバーに適用できる。
【符号の説明】
【００２３】
１        スマートフォン（携帯端末）
１ａ      ディスプレイ面
１０，１０Ａ    携帯端末用保護カバー
１１      カバー本体
１３      覗き見防止層
１３ｅ    視野角制限光学素子
１４      粘着層
１６      飛散防止層
【図１】
0003195969.tif 000003
【図２】
0003195969.tif 000004
【図３】
0003195969.tif 000005